(57)【要約】【課題】複数台のインバータ装置が備える冷却装置をできるだけ有効に活用できるようにして放熱性能の高い電力変換装置を提供する。【解決手段】上下方向に並んで配置される隣り合う２台の冷却装置３０Ａと冷却装置３０Ｂの間に、一方の冷却装置３０Ｂからの排気が他方の冷却装置３０Ａに直接当たるのを遮る遮蔽板３３を配置する。遮蔽板３３は、冷却装置３０Ｂと冷却装置３０Ａの間の空間部分Ｓを斜めに仕切るように構成されており、冷却装置３０Ａのための吸気口と冷却装置３０Ｂのための排気口とが遮蔽板３３を介して対向する位置に設けられている。吸気口ＩＮ１から奥に向かうに従って遮蔽板３３と冷却装置３０Ａとの間の間隔が小さくなり、排気口ＯＵＴ１１から奥に向かうに従って遮蔽板３３と冷却装置３０Ｂとの間の間隔が小さくなるように遮蔽板３３と隣り合う２台の冷却装置３０Ａ及び３０Ｂの位置関係が定められている。【選択図】  図５
2018186601.tif 000002
【特許請求の範囲】
【請求項１】
それぞれ冷却装置を備えたｎ台（ｎは２以上の整数）のインバータ装置と、
前記ｎ台のインバータ装置のそれぞれインバータ回路に含まれる複数の電力変換素子を制御するインバータ制御部と、
前記ｎ台のインバータ装置におけるｎ台の前記冷却装置の前記複数の電力変換素子を装着する装着部分及び前記インバータ制御部が少なくとも収納されているインバータ用ケースを備えている電力変換装置であって、
前記ｎ台のインバータ装置の前記ｎ台の前記冷却装置は、それぞれ前記装着部分を有するヒートシンクと、前記ヒートシンクに空冷用空気を吹き付けるように前記ヒートシンクに沿って並ぶ複数台の送風機を備えたｎ台の強制空冷装置を有しており、
前記インバータ用ケースの側壁には、上下方向または横方向に並んで配置される前記ｎ台の冷却装置のための複数の吸気口と複数の排気口を備えて内部に前記ｎ台の冷却装置の前記装着部分を除く主要部を収容する風洞が設けられており、
前記風洞の内部には、前記上下方向または前記横方向に並んで配置される隣り合う２台の前記冷却装置の間に、一方の前記冷却装置からの排気が他方の前記冷却装置に直接当たるのを遮る遮蔽板がそれぞれ配置されており、
前記遮蔽板は前記一方の前記冷却装置と他方の前記冷却装置の間の空間部分を斜めに仕切るように構成されており、
前記他方の前記冷却装置のための前記吸気口と前記一方の冷却装置のための前記排気口とが前記遮蔽板を介して対向する位置に設けられており、
しかも前記吸気口から奥に向かうに従って前記遮蔽板と前記他方の冷却装置との間の間隔が小さくなり、前記排気口から奥に向かうに従って前記遮蔽板と前記一方の冷却装置との間の間隔が小さくなるように前記遮蔽板と前記隣り合う２台の前記冷却装置の位置関係が定められていることを特徴とする電力変換装置。
【請求項２】
前記ｎ台の冷却装置のためのｎ箇の前記吸気口は、前記風洞の前記インバータ用ケースの前記側壁と対向しない一つの側面にそれぞれ開口しており、前記ｎ台の冷却装置のためのｎ箇の前記排気口は、前記風洞の前記一つの側面と対向する他の側面に開口している請求項１に記載の電力変換装置。
【請求項３】
前記ｎ台の冷却装置が上下方向に並んでおり、
前記風洞の底部に最も下に位置する前記冷却装置のための追加の吸気口が設けられている請求項２に記載の電力変換装置。
【請求項４】
前記ｎ台の冷却装置が前記上下方向に並んでおり、
前記風洞の上部に最も上に位置する前記冷却装置のための追加の排気口が設けられている請求項２に記載の電力変換装置。
【請求項５】
前記遮蔽板は、対応する前記冷却装置との間の間隔寸法が複数台の送風機が並ぶ方向に所定の長さにわたって変わらない非傾斜部を前記他方の冷却装置のための前記排気口寄りに備えている請求項１乃至４のいずれか１項に記載の電力変換装置。
【請求項６】
前記遮蔽板は中間層に１以上の断熱層を有する多層構造である請求項１に記載の電力変換装置。
【請求項７】
前記ｎ台の冷却装置が前記上下方向に並んでおり、
前記ヒートシンクは、前記上下方向と直交する水平方向に延びており、且つ熱伝達流体が内部を循環する構造を有しており、
前記複数の送風機と対応する前記ヒートシンクとの間の空間は、前記複数の送風機毎に個別の流路を構成するように複数の仕切り壁によって仕切られている請求項１乃至６のいずれか１項に記載の電力変換装置。
【請求項８】
前記インバータ用ケースの前記側壁と対向する前記風洞の側面を構成するパネルを外した状態で、前記強制冷却装置が、前記パネルが位置した側に引き出し可能に引き出し支持構造により支持されている請求項１乃至７のいずれか１項に記載の電力変換装置。
【請求項９】
前記インバータ用ケース内には、該インバータ用ケース内の温度を下げるために外気と熱交換を行う熱交換器と、該熱交換器に対して該インバータ用ケース内の空気を接触させるために該インバータ用ケース内で空気を循環させる空気循環装置が配置されている請求項１乃至８のいずれか１項に記載の電力変換装置。
【請求項１０】
前記インバータ用ケース内には、前記ｎ台の冷却装置の前記装着部分に装着された複数の電力変換素子を含む前記インバータ回路と前記制御ユニットとが、両者間に前記空気の循環路を形成するように間隔をあけて配置されている請求項９に記載の電力変換装置。
【請求項１１】
請求項１乃至１０のいずれか１項に記載の電力変換装置を備えて系統の無効電力を補償する無効電力補償装置。
【請求項１２】
請求項２に記載の電力変換装置を備えて系統の無効電力を補償する無効電力補償装置であって、
少なくとも一次側が系統に接続される変圧器と前記系統の電圧値及び電流値を検知する変成器が、絶縁油と一緒に油入収納ケースに収納されており、
前記インバータ用ケースは、前記風洞に設けた前記排気口が前記油入収納ケースの外面に排出空気を当てるように配置されている無効電力補償装置。
【発明の詳細な説明】
【技術分野】
【０００１】
本発明は、無効電力補償装置等の電力機器に使用される放熱性能の高い電力変換装置に関するものである。
【背景技術】
【０００２】
実公昭６３−３０２３１号公報（特許文献１）、実開平３−１２２５９６号公報（特許文献２）及び特開２００４−３５６１３０号公報（特許文献３）には、送風機でインバータを構成する電力変換素子からの熱を強制的に放熱する従来の電力変換装置が開示されている。
【０００３】
また特開平９−３０７０３８号公報（特許文献４）には電力変換素子を装着したヒートシンクを有する複数台のモジュールを風ガイド（風洞）の内部に上下方向に間隔を開けて配置し、しかも各モジュールを水平方向に対して傾斜させた状態にして空冷性能を向上させた電力変換装置が開示されている。
【先行技術文献】
【特許文献】
【０００４】
【特許文献１】実公昭６３−３０２３１号公報
【特許文献２】実開平３−１２２５９６号公報
【特許文献３】特開２００４−３５６１３０号公報
【特許文献４】特開平９−３０７０３８号公報
【発明の概要】
【発明が解決しようとする課題】
【０００５】
特許文献１乃至４に開示された従来の電力変換装置の空冷技術を組み合わせても、複数台のインバータ装置のインバータ回路に含まれる複数の電力変換素子を冷却する複数のヒートシンクをそれぞれ強制空冷装置を用いて空冷する場合に、各強制空冷装置を有効に活用して各ヒートシンクをむらなく冷却できる構造を得ることができない問題がある。
【０００６】
本発明の目的は、複数台のインバータ装置が備える冷却装置をできるだけ有効に活用できるようにして放熱性能の高い電力変換装置を提供することにある。
【０００７】
本発明の他の目的は、電力変換装置の放熱性能を高めた無効電力補償装置を提供することにある。
【課題を解決するための手段】
【０００８】
本発明は、それぞれ冷却装置を備えたｎ台（ｎは２以上の整数）のインバータ装置と、ｎ台のインバータ装置のそれぞれインバータ回路に含まれる複数の電力変換素子を制御するインバータ制御部と、ｎ台のインバータ装置のｎ台の冷却装置の複数の電力変換素子を装着する装着部分及びインバータ制御部が少なくとも収納されているインバータ用ケースを備えている電力変換装置を対象とする。
【０００９】
本発明の電力変換装置では、ｎ台のインバータ装置のｎ台の冷却装置が、それぞれ装着部分を有するヒートシンクとヒートシンクに空冷用空気を吹き付けるようにヒートシンクに沿って並ぶ複数台の送風機を備えたｎ台の強制空冷装置を有している。そしてインバータ用ケースの側壁には、上下方向または横方向に並んで配置されるｎ台の冷却装置のための複数の吸気口と複数の排気口を備えて内部にｎ台の冷却装置の装着部分を除く主要部を収容する風洞が設けられている。この風洞の内部には、上下方向または横方向に並んで配置される隣り合う２台の冷却装置の間に、一方の冷却装置からの排気が他方の冷却装置に直接当たるのを遮る遮蔽板がそれぞれ配置されている。この遮蔽板は、一方の冷却装置と他方の冷却装置の間の空間部分を斜めに仕切るように構成されており、他方の冷却装置のための吸気口と一方の冷却装置のための排気口とが遮蔽板を介して対向する位置に設けられている。しかも吸気口から奥に向かうに従って遮蔽板と他方の冷却装置との間の間隔が小さくなり、排気口から奥に向かうに従って遮蔽板と一方の冷却装置との間の間隔が小さくなるように遮蔽板と隣り合う２台の冷却装置の位置関係が定められている。
【００１０】
本発明によれば、ｎ台の冷却装置にそれぞれヒートシンクを冷却するための複数の送風機からなる強制冷却装置を設ける場合に、隣り合う２台の冷却装置の間に、一方の冷却装置からの排気が他方の冷却装置に直接当たるのを遮る遮蔽板を設けるので、各冷却装置が他の冷却装置からの排熱の影響を受けることなくヒートシンクの強制空冷を行うことができる。その上、遮蔽板が一方の冷却装置と他方の冷却装置の間の空間部分を斜めに仕切るように構成され、一方の冷却装置のための吸気口と他方の冷却装置のための排気口とが遮蔽板を介して対向する位置に設けられており、しかも吸気口から奥に向かうに従って遮蔽板と一方の冷却装置との間の間隔が小さくなり、排気口から奥に向かうに従って遮蔽板と他方の冷却装置との間の間隔が小さくなるように遮蔽板と隣り合う２台の冷却装置の位置関係が定められているので、隣り合う２台の冷却装置の間で他の冷却装置からの排気が、一方の冷却装置の吸気口から吸気される事態が発生することを防止できる。また遮蔽板の傾き方によって、２台の冷却装置の間の間隔寸法を大きくすることなく、ヒートシンクの冷却に必要な複数の送風機からの送風量を確保することができる。
【００１１】
ｎ台の冷却装置のためのｎ箇の吸気口は、風洞のインバータ用ケースの側壁と対向しない一つの側面にそれぞれ開口しており、ｎ台の冷却装置のためのｎ箇の排気口は、風洞の一つの側面と対向する他の側面に開口しているのが好ましい。このようにするとｎ台の冷却装置を用いる場合であっても、吸気する空気として排気された空気を直接的に吸い込むことを防止できる。
【００１２】
ｎ台の冷却装置が上下方向に並んでいる場合には、風洞の底部に、最も下に位置する冷却装置のための追加の吸気口を設けてもよい。この構造は、特に電力変換装置が設置面から浮いた状態で設置される場合に、追加の吸気口を有効に活用して、吸気量を増大させることができる効果を発揮する。
【００１３】
ｎ台の冷却装置が上下方向に並んでいる場合において、風洞の上部に、最も上に位置する冷却装置のための追加の排気口を設けてもよい。この構造は、特に電力変換装置の上方空間の利用に制限がない場合に、追加の排気口を有効に活用して、排気量を増大させることができる効果を発揮する。
【００１４】
遮蔽板は、対応する冷却装置との間の間隔寸法が複数台の送風機が並ぶ方向に所定の長さにわたって変わらない非傾斜部を他方の冷却装置のための排気口寄りに備えていてもよい。非傾斜部と言っても、概ね傾斜していなければ良く、完全に水平である必要はない。このような非傾斜部を設けると、非傾斜部と対向する冷却装置との間の距離をほぼ一定に維持することができる。そのため、吸気口側から見ると、奥に位置する送風機の吸い込み口近傍の空間を広く確保することができ、風量の大幅な低下を防止できる。排気口側から見ると、出口部分の近くで非傾斜部と対向する冷却装置との間の距離がほぼ一定になっても、排気流路の抵抗を著しく大きくすることがないので、排気量の低下を生じさせることがない。
【００１５】
遮蔽板は中間層に１以上の断熱層を有する多層構造であるのが好ましい。このような断熱層を有する多層構造を使用すると、隣り合う２台の冷却装置間の断熱性能を高めることができる。
【００１６】
さらにｎ台の冷却装置が上下方向に並んでいる場合に、ヒートシンクとして、上下方向と直交する水平方向に延びており、且つ熱伝達流体が内部を循環する構造を有しているものを用いることができる。この場合には、複数の送風機と対応するヒートシンクとの間の空間は、複数の送風機毎に個別の流路を構成するように複数の仕切り壁によって仕切られているのが好ましい。このような仕切り壁を設けると、複数台の送風機のうち１台以上の送風機が故障により停止したときに、健全な送風機から送り出した送風が停止した送風機を回転させて、逆流を生じさせることを防止できる。このような仕切り壁を設けても、ヒートシンクが部分的に冷却されないだけで、ヒートシンク内の熱伝達流体はヒートシンク全体を流れているので、結果としてヒートシンクは全体に冷却されることになる。
【００１７】
インバータ用ケースの側壁と対向する風洞の側面を構成するパネルを外した状態で、強制空冷装置の複数台の送風機が、パネルが位置した側に引き出し可能に引き出し支持構造により支持されていてもよい。このような構造を採用すると、故障した送風機の交換が容易になる。
【００１８】
インバータ用ケース内には、該インバータ用ケース内の温度を下げるために外気と熱交換を行う熱交換器と、該熱交換器に対して該インバータ用ケース内の空気を接触させるために該インバータ用ケース内で空気を循環させる空気循環装置が配置されていてもよい。このようにするとインバータ用ケース内を密封状態にすることができるので、インバータ装置の防塵及び防水を完全なものとすることができる。
【００１９】
インバータ用ケース内には、ｎ台の冷却装置の装着部分に装着された複数の電力変換素子を含むインバータ回路と制御ユニットとが、両者間に空気の循環路を形成するように間隔をあけて配置されているのが好ましい。このようにするとインバータ用ケース内を密封状態にした場合に、電力変換素子から出る熱の一部がインバータ用ケース内に局部的に留まることを防止して、温度上昇が原因になって発生する回路または電子部品の誤動作の発生を防止できる。
【００２０】
本発明の電力変換装置は、系統の無効電力を補償する無効電力補償装置に使用することができる。
【００２１】
本発明の電力変換装置を系統の無効電力を補償する無効電力補償装置に使用する場合において、無効電力補償装置は、少なくとも一次側が系統に接続される変圧器と系統の電圧値及び電流値を検知する変成器が、絶縁油と一緒に油入収納ケースに収納されているときには、インバータ用ケースは、風洞に設けた排気口が油入収納ケースの外面に排出空気を当てるように配置されているのが好ましい。電力変換装置からの排気が油入収納ケースに当たっても、油入収納ケースの熱容量は大きいため、油入収納ケースの温度上昇には殆ど影響がない。そしてこの配置によれば、外の風が強いときに、油入収納ケースが排気口に強い風が直接当たることを防ぐ防護壁として機能する効果が得られる。
【図面の簡単な説明】
【００２２】
【図１】本発明の電力変換装置が使用される無効電力補償装置の回路図である。
【図２】（Ａ）乃至（Ｃ）は、実施の形態の無効電力補償装置の外観の正面図、平面図及び左側面図である。
【図３】（Ａ）は、二本の電柱に装荷される第１の実施の形態の無効電力補償装置の内部を透視した概略図であり、図３（Ｂ）は二本の電柱に装荷した実施の形態の無効電力補償装置の装着状況の概略を示す図である。
【図４】実施の形態の無効電力補償装置のインバータ用ケースの内部の配置構成を示す概略図である。
【図５】冷却構造の構成を示す概略図である。
【図６】（Ａ）は冷却装置の構造を説明するための概念図であり、（Ｂ）は仕切り壁が無い場合に起きる現象を説明するための図である。
【図７】（Ａ）乃至（Ｃ）は、複数台の冷却装置を上下方向に配置する場合の冷却構造の変形例を示す図である。
【図８】（Ａ）及び（Ｂ）は複数台の冷却装置を横方向に配置する場合の冷却構造の変形例を示す図である。
【図９】無効電力補償装置を１本の電柱に装荷する場合の構成を示す図である。
【発明を実施するための形態】
【００２３】
以下、図面を参照して、無効電力補償装置等の電力機器に使用される放熱性能の高い本発明の電力変換装置の実施の形態について詳細に説明する。
【００２４】
［無効電力補償装置の構成］
図１は、本発明の電力変換装置が使用される無効電力補償装置の回路図であり、図２（Ａ）乃至（Ｃ）は、実施の形態の無効電力補償装置の外観の正面図、平面図及び左側面図である。図３（Ａ）は、二本の電柱に装荷される第１の実施の形態の無効電力補償装置の内部を透視した概略図であり、図３（Ｂ）は二本の電柱に装荷した実施の形態の無効電力補償装置の装着状況の概略を示す図である。図４は、実施の形態の無効電力補償装置のインバータ用ケースの内部の配置構成を示す概略図である。なお、図３（Ａ）及び（Ｂ）並びに図４では、説明の便宜上、各機器を接続しているケーブル類の図示は省略しており、高圧ブッシング、変成器の固定具、その他の各部品の固定具は省略している。また（Ａ）及び（Ｂ）並びに図４では、図示の関係から便宜上各部品の大きさ及び配置位置は異なっている。
【００２５】
図１乃至図４に示すように無効電力補償装置１は、６．６ｋＶの系統２と接続されて、系統２の無効電力を補償するものであり、変圧器３と、電力変換器５と、直流リアクトル装置７と、変成器（ＶＣＴ）９と、インバータ制御部１１と、制御ユニット１２と、油入収納ケース１３と、インバータ用ケース１５とを備えている。変圧器３は、３巻線変圧器であり、一次側が系統に電気的に接続されるものである。電力変換器５は、変圧器３の二次側に交流側が接続されている。直流リアクトル装置７は、電力変換器５の直流側に接続されている。変成器９は、系統２の電圧値及び電流値を検知するためのものであり、計器用変圧器９Ａと計器用変流器９Ｂとから構成されており、変圧器３と後述の高圧ブッシングとの間に接続され、制御ユニット１２内の機器に接続されている。制御ユニット１２には、後述の柱上高圧遮断器等の無効電力補償装置１の各種設定・制御を行うための機器が収納されており、図３に示すように、無効電力補償装置１とは分けて配置されるものである。制御ユニット１２内の機器は、インバータ制御部１１とも接続されており、変成器９によって得られた電圧値及び電流値をインバータ制御部１１に出力している。インバータ制御部１１は、電圧値及び電流値に基づいて、電力変換器５を制御する制御信号を出力する。なお図２乃至図４においては、インバータ制御部１１は制御ユニット１２内に内蔵されているものとして図示を省略してある。
【００２６】
図２（Ａ）乃至（Ｃ）に示すように、油入収納ケース１３は、鉄板を加工して形成された直方体形状であり、各機器を収納し、絶縁油を充填した状態で鉄製の蓋を構成する上壁を閉じて密封するものである。油入収納ケース１３内には、変圧器３と、直流リアクトル装置７と、変成器９（計器用変圧器９Ａと計器用変流器９Ｂ）とが絶縁油と一緒に収納されている。このことにより、各機器の絶縁距離を短くし、油入収納ケース１３内にコンパクトに各機器を収納できる。重量の重い変圧器３は、油入収納ケース１３の底部に配置されており、変成器９及び直流リアクトル装置７は、変圧器３の上に並んで設置されている。本実施の形態で用いる直流リアクトル装置７は、小型であるため、変圧器３の上に設置することが可能になっており、直流リアクトル装置７は横向きに配置されている。さらに本実施の形態では、変圧器３の上の直流リアクトル装置７と、計器用変圧器９Ａと、計器用変流器９Ｂとを絶縁距離を考慮して省スペースで配置する構成としている。油入収納ケース１３の上壁１３Ｂには、変圧器３の一次側と電気的に接続された３本の高圧ブッシング１７が設けられている。油入収納ケース１３の側壁１３Ａには、インバータ用ケース１５と接続する接続部１９が設けられている。
【００２７】
電力変換器５は、それぞれ直流側が直列接続された２台の自励式電流形インバータ回路２１Ａ，２１Ｂを備えた２台のインバータ装置５Ａ及び５Ｂから構成されている。なお図１には、図示を簡略化するためにインバータ装置と自励式電流形インバータ回路を代表する表記として「インバータ」の表記をしている。自励式電流形インバータ回路２１Ａ，２１Ｂはそれぞれ１５０ｋＶＡであり、直流側が直列接続されることによって、電力変換器５は、３００ｋＶＡの定格補償容量を有している。直流リアクトル装置７は、自励式電流形インバータ回路２１Ａ，２１Ｂに直列接続された１台の直流リアクトル２３からなる。このように構成することで、自励式電流形インバータ回路が１台の場合と比較して、自励式電流形インバータ回路２１Ａ，２１Ｂを構成する各素子（ＩＧＢＴ）の耐電圧を１／２に下げることができる。また、１台の直流リアクトルで直流リアクトル装置７を構成することができ、また、１台の直流リアクトルに流れる電流値を１／２に下げることができる。
【００２８】
図２（Ａ）乃至（Ｃ）、図３（Ａ）及び図４に示すように、インバータ用ケース１５内には、自励式電流形インバータ回路２１Ａ，２１Ｂ及びインバータ制御部１１が収納されている制御ユニット１２が配置されている。インバータ用ケース１５の側壁１５Ａには、自励式電流形インバータ回路２１Ａ，２１Ｂが発する熱を冷却する２台の冷却装置３０Ａ及び３０Ｂの主要部を内部に備えた風洞１６が設けられている。なお冷却装置３０Ａ及び３０Ｂの詳細については後述する。
【００２９】
また図２（Ａ）乃至（Ｃ）並びに図３（Ａ）及び図４に示すように、インバータ用ケース１５の点検用扉１８には、インバータ用ケース１５内の温度を下げるために外気と熱交換を行う熱交換器２０Ａ及び２０Ｂが設置されている。またインバータ用ケース１５内には、熱交換器２０Ａ及び２０Ｂに対してインバータ用ケース１５内の空気を接触させるためにインバータ用ケース１５内で空気を循環させる空気循環装置２２［図３（Ａ）及び図４］が配置されている。この空気の流れは、図２（Ｃ）及び図４に符号ＦＰで指した破線で示す流路となる。具体的には、２台の冷却装置３０Ａ，３０Ｂの装着部分３１ａ，３１ｂに装着された複数の電力変換素子を含むインバータ回路と制御ユニットとが、両者間に空気の循環路を形成するように間隔をあけて配置されている。このようにするとインバータ用ケース１５内を密封状態にした場合に、電力変換素子から出る熱の一部がインバータ用ケース内に局部的に留まることを防止して、温度上昇が原因になって発生する回路または電子部品の誤動作の発生を防止できる。
【００３０】
このようにするとインバータ用ケース１５内を密封状態にすることができるので、電力変換器５の防塵及び防水を完全なものとすることができる。
【００３１】
本実施の形態の無効電力補償装置１は、油入収納ケース１３とインバータ用ケース１５とを分離した状態の分離型である。本実施の形態の無効電力補償装置１は、２本の電柱２７，２７の間に装架されている。高圧ブッシング１７が、系統２と接続された柱上高圧遮断器３１に接続されており、柱上高圧遮断器３１を介して、無効電力補償装置１が系統２と接続されている。
【００３２】
［冷却構造１］
本実施の形態の電力変換装置では、それぞれ冷却装置３０Ａ及び３０Ｂを備えた２台のインバータ装置５Ａ及び５Ｂと、２台のインバータ装置５Ａ及び５Ｂのそれぞれのインバータ回路２１Ａ及び２１Ｂに含まれる複数の電力変換素子を制御するインバータ制御部１１を含む制御ユニット１２と、２台のインバータ装置５Ａ及び５Ｂの冷却装置３０Ａ及び３０Ｂの図示しない複数の電力変換素子を装着するヒートシンク３１Ａ及び３１Ｂの装着部分３１ａ及び３１ｂが少なくとも収納されている。
【００３３】
本実施の形態の電力変換装置では、図４及び図５に示すように、２台のインバータ装置５Ａ及び５Ｂの２台の冷却装置３０Ａ及び３０Ｂが、それぞれ装着部分３１ａ及び３１ｂを有するヒートシンク３１Ａ及び３１Ｂとヒートシンク３１Ａ及び３１Ｂの放熱フィンに空冷用空気を吹き付けるようにヒートシンク３１Ａ及び３１Ｂに沿って並ぶ複数台の送風機（図６）を備えた強制空冷装置３２Ａ及び３２Ｂを有している。送風機としては、主として軸流送風機を用いることができるが、送風機として遠心送風機、斜流送風機等を用いてもよいのは勿論である。
【００３４】
そして図５に示すように、インバータ用ケース１５の側壁１５Ａに設けられた風洞１６には、上下方向に並んで配置された２台の冷却装置３０Ａ及び３０Ｂのための吸気口ＩＮ１，ＩＮ２１及びＩＮ２２と排気口ＯＵＴ１１，ＯＵＴ２及びＯＵＴ１２を備えている。吸気口ＩＮ１，ＩＮ２１及びＩＮ２２と排気口ＯＵＴ１１，ＯＵＴ２及びＯＵＴ１２は、鳥の侵入を防ぐために、網によって覆われている。なお図５には、これら吸気口及び排気口は、図示を簡略化するために、積極的には図示していない。
【００３５】
風洞１６の内部には、２台の冷却装置３０Ａ及び３０Ｂのヒートシンク３１Ａ及び３１Ｂの装着部分３１ａ及び３１ｂを除く主要部（３１Ａ〜３２Ｂ）が収容されている。この風洞１６の内部には、上下方向に並んで配置される隣り合う２台の冷却装置３０Ａと冷却装置３０Ｂの間に、一方の冷却装置３０Ｂからの排気が他方の冷却装置３０Ａに直接当たるのを遮る遮蔽板３３が配置されている。この遮蔽板３３は、一方の冷却装置３０Ｂと他方の冷却装置３０Ａの間の空間部分Ｓを斜めに仕切るように構成されており、他方の冷却装置３０Ａのための吸気口ＩＮ１と一方の冷却装置３０Ｂのための排気口ＯＵＴ２とが遮蔽板３３を介して対向する位置に設けられている。しかも吸気口ＩＮ１から奥に向かうに従って遮蔽板３３と他方の冷却装置３０Ａとの間の間隔が小さくなり、排気口ＯＵＴ２から奥に向かうに従って遮蔽板３３と一方の冷却装置３０Ｂとの間の間隔が小さくなるように遮蔽板３３と隣り合う２台の冷却装置３０Ａ及び３０Ｂの位置関係が定められている。
【００３６】
遮蔽板３３は、対応する冷却装置３０Ａとの間の間隔寸法が、その冷却装置３０Ａの強制空冷装置３２Ａ中の複数の送風機が並ぶ方向（図５の場合は、紙面の左右方向）に所定の長さにわたって変わらない非傾斜部３３Ａを、下側に位置する他方の冷却装置置３０Ｂのための排気口ＯＵＴ２寄りに備えている。なお非傾斜部３３Ａは、概ね傾斜していなければ良く、完全に水平である必要はない。このような非傾斜部３３Ａを設けると、非傾斜部３３Ａと対向する冷却装置３０Ａとの間の距離をほぼ一定に維持することができるため、冷却装置３０Ａのための吸気口ＩＮ１側から見ると、強制冷却装置３２Ａの奥に位置する送風機の吸い込み口近傍の空間を広く確保することができ、奥に位置する送風機の風量の大幅な低下を防止できる。なお排気口ＯＵＴ１１側から見ると、出口部分の近くで非傾斜部３３Ａと対向する強制空冷装置３２Ａとの間の距離がほぼ一定になっても、排気流路の抵抗を著しく大きくすることがないので、排気量の低下を生じさせることがない。
【００３７】
本実施の形態の遮蔽板３３は、中間層に１以上の断熱層３４を有する多層構造である。断熱層３４を構成する断熱材としては、発泡スチロールやガラス繊維等を用いることができるが、断熱層３４を単なる空気の層によって形成してもよい。遮蔽板３３に、断熱層３４を有する多層構造を使用すると、隣り合う２台の冷却装置３０Ａ及び３０Ｂ間の断熱性能を高めることができる。
【００３８】
本実施の形態では、２台の冷却装置３０Ａ及び３０Ｂが上下方向に並んでいる場合に地面よりも上に離されて無効電力補償装置１が設置される場合には、風洞１６の底部１６Ａに、下に位置する冷却装置３０Ｂのための追加の吸気口ＩＮ２２を設けてある。この構造では、追加の吸気口ＩＮ２２を有効に活用して、吸気量を増大させることができる。
【００３９】
さらに本実施の形態では、２台の冷却装置３０Ａ及び３０Ｂのための２つの吸気口ＩＮ１及びＩＮ２１は、風洞１６のインバータ用ケース１５の側壁１５Ａと対向しない一つの側面１６Ｃにそれぞれ開口しており、２台の冷却装置３０Ａ及び３０Ｂのための２つの排気口ＯＵＴ１１及びＯＵＴ２は、風洞１６の一つの側面１６Ｃと対向する他の側面１６Ｄに開口している。また本実施の形態では、２台の冷却装置３０Ａ及び３０Ｂが上下方向に並んでいる場合において、風洞１６の上部１６Ｂに、上に位置する冷却装置３０Ａのための追加の排気口ＯＵＴ１２を設けている。このようにすると２台の冷却装置３０Ａ及び３０Ｂを用いる場合であっても、吸気する空気として排気された空気を直接的に吸い込むことを防止できる。また実施の形態によれば、電力変換装置１の上方空間の利用に制限がないので、追加の排気口ＯＵＴ１２を有効に活用して、排気量を増大させることができる。
【００４０】
このような構成を採用すると、２台の冷却装置３２Ａ及び３２Ｂにそれぞれヒートシンク３１Ａ及び３１Ｂを冷却するための複数の送風機を備えた強制空冷装置３２Ａ及び３２Ｂを設ける場合に、隣り合う２台の冷却装置３０Ａ及び３０Ｂの間に、一方の冷却装置３０Ｂからの排気が他方の冷却装置３０Ａに直接当たるのを遮る遮蔽板３３を設けているので、各冷却装置が他の冷却装置からの排熱の影響を受けることなくヒートシンク３１Ａ及び３１Ｂの強制空冷を行うことができる。
【００４１】
なおインバータ用ケース１３の側壁１５Ａ（図４）と対向する風洞１６の側面１６Ｅ［図２（Ａ）］を構成するパネルを外した状態で、冷却装置３０Ａ及び３０Ｂの強制冷却装置３２Ａ及び３２Ｂが、パネル１６Ｅが位置した側に引き出し可能に引き出し支持構造により支持されているのが好ましい。このような構造を採用すると、故障した送風機の交換が容易になる。
【００４２】
本実施の形態では、図２（Ｂ）に示すように、インバータ用ケース１５は風洞１６に設けた排気口ＯＵＴ１，ＯＵＴ１１，ＯＵＴ２が油入収納ケース１３の外面に排出空気を当てるように配置されている。このように風洞１６からの排気が油入収納ケース１３に当たっても、油入収納ケース１３の熱容量は大きいため、油入収納ケース１３の温度上昇には殆ど影響がない。そしてこの配置によれば、外の風が強いときに、油入収納ケース１３が排気口ＯＵＴ１，ＯＵＴ１１，ＯＵＴ２に強い風が直接当たることを防ぐ防護壁として機能する効果が得られる。
【００４３】
［冷却装置の構造］
図６（Ａ）は、本実施の形態で採用している冷却装置の構造を説明するための概念図である。本実施の形態では２台の冷却装置３０Ａ（３０Ｂ）が上下方向に並んでいる場合において、ヒートシンク３１Ａ（３１Ｂ）は、上下方向と直交する水平方向に延びており、且つ熱伝達流体が内部を循環する構造を有しているものを用いている。この場合には、強制冷却装置３２Ａ（３２Ｂ）の複数の送風機Ｆ１乃至Ｆ４と対応するヒートシンク３１Ａ（３１Ｂ）との間の空間Ｓ１は、複数の送風機Ｆ１乃至Ｆ４毎に個別の流路を構成するように複数の仕切り壁３４によって仕切られている。図６（Ｂ）のように仕切り壁を設けない場合には、複数台の送風機Ｆ１乃至Ｆ４のうち１台の送風機Ｆ２が故障により停止すると、健全な送風機Ｆ１，Ｆ３及びＦ４から送り出した送風が停止した送風機Ｆ２を回転させて、逆流を生じさせる。これに対して仕切り壁３４を設けると、複数台の送風機Ｆ１乃至Ｆ４のうち１台の送風機Ｆ２が故障により停止したときでも、健全な送風機Ｆ１，Ｆ３及びＦ４から送り出した送風が停止した送風機Ｆ２を回転させて、逆流を生じさせることを防止できる。また仕切り壁３４を設けても、ヒートシンク３１Ａが部分的に冷却されないだけで、ヒートシンク３１Ａ内の熱伝達流体はヒートシンク全体を流れているので、結果としてヒートシンク３１Ａは全体に冷却される。
【００４４】
上記実施の形態では、２台の冷却装置３０Ａ及び３０Ｂを備えているが、冷却装置の数は２台に限定されるものではなく、Ｎ台（Ｎは２以上の整数）以上の冷却装置が、上下方向に並べられて配置されていてもよい。
【００４５】
［冷却構造の変形例］
図７（Ａ）乃至（Ｃ）は、複数台の冷却装置を上下方向に配置する場合の冷却構造の変形例を示している。図７（Ａ）の例は、風洞１６の底部１６Ａと上部１６Ｂが構造物または設置物によってそれぞれ閉塞されている場合であり、この場合には２つの吸気口ＩＮ１及びＩＮ２と２つの排気口ＯＵＴ１及びＯＵＴ２だけを備えている。図７（Ｂ）の例は、風洞１６の底部１６Ａが構造物または設置物によって閉塞されている場合であり、この場合には２つの吸気口ＩＮ１及びＩＮ２と３つの排気口ＯＵＴ１１、ＯＵＴ１２及びＯＵＴ２を備えている。図７（Ｃ）の例は、３台の冷却装置３０Ａ乃至３０Ｃが上下方向に配置されており、風洞１６の底部１６Ａと上部１６Ｂが構造物または設置物によってそれぞれ閉塞されている場合である。この場合には３つの吸気口ＩＮ１乃至ＩＮ３と３つの排気口ＯＵＴ１乃至ＯＵＴ３を備えている。
【００４６】
図８（Ａ）及び（Ｂ）は複数台の冷却装置を横方向に配置する場合の冷却構造の変形例を示している。図８（Ａ）の例は、横置きされた風洞１６の側面１６Ｄを浮かした状態にして２台の冷却装置３０Ａ及び３０Ｂを横方向に配置しており、この場合には３つの吸気口ＩＮ１並びにＩＮ２１及びＩＮ２２と２つの排気口ＯＵＴ１及びＯＵＴ２を備えている。図８（Ｂ）の例は、３台の冷却装置３０Ａ乃至３０Ｃが横方向に配置されており、風洞１６の底部１６Ａと上部１６Ｂが構造物または設置物によってそれぞれ閉塞されている場合である。この場合には３つの吸気口ＩＮ１乃至ＩＮ３と３つの排気口ＯＵＴ１乃至ＯＵＴ３を備えている。横方向に配置される複数台の冷却装置の台数は任意である。
【００４７】
［無効電力補償装置の設置の変形例］
図２乃至図５で説明した実施の形態では、無効電力補償装置１を２本の電柱に装荷しているが、無効電力補償装置１の重量が軽量であれば、図９に示すように１本の電柱に装荷してもよい。この場合には、インバータ用ケース１５と油入収納ケース１３の間に電柱２７を挟むようにして、無効電力補償装置１を電柱２７に装荷している。
【００４８】
なお無効電力補償装置１を電柱に装荷せずに、地上に設置してもよいのは勿論である。
【００４９】
［電力変換装置の適用例］
上記実施の形態では、無効電力補償装置１の電力変換装置に本発明を提供したが、本発明の電力変換装置は、複数台のインバータ装置を使用する電源設備、電力機器その他の電気機器にも当然にして適用することができる。
【産業上の利用可能性】
【００５０】
本発明によれば、ｎ台の冷却装置にそれぞれヒートシンクを冷却するための複数の送風機からなる強制空冷装置を設ける場合に、隣り合う２台の冷却装置の間に、一方の冷却装置からの排気が他方の冷却装置に直接当たるのを遮る遮蔽板を設けるので、各冷却装置が他の冷却装置からの排熱の影響を受けることなくヒートシンクの強制空冷を行うことができる。その上、遮蔽板が一方の冷却装置と他方の冷却装置の間の空間部分を斜めに仕切るように構成され、一方の冷却装置のための吸気口と他方の冷却装置のための排気口とが遮蔽板を介して対向する位置に設けられており、しかも吸気口から奥に向かうに従って遮蔽板と一方の冷却装置との間の間隔が小さくなり、排気口から奥に向かうに従って遮蔽板と他方の冷却装置との間の間隔が小さくなるように遮蔽板と隣り合う２台の冷却装置の位置関係が定められているので、隣り合う２台の冷却装置の間で他の冷却装置からの排気が、一方の冷却装置の吸気口から吸気される事態が発生することを防止できる。また遮蔽板の傾き方によって、２台の冷却装置の間の間隔寸法を大きくすることなく、ヒートシンクの冷却に必要な複数の送風機からの送風量を確保することができる。
【符号の説明】
【００５１】
１  無効電力補償装置
２  系統
３  変圧器
５  電力変換器
７  直流リアクトル装置
９  変成器
１１  インバータ制御部
１２  制御ユニット
１３  油入収納ケース
１５  インバータ用ケース
１６  風洞
２７  電柱
３０Ａ乃至３０Ｃ  冷却装置
３１Ａ及び３１Ｂ  ヒートシンク
３２Ａ及び３２Ｂ  強制空冷装置
３３  遮蔽板
【図１】
2018186601.tif 000003
【図２】
2018186601.tif 000004
【図３】
2018186601.tif 000005
【図４】
2018186601.tif 000006
【図５】
2018186601.tif 000007
【図６】
2018186601.tif 000008
【図７】
2018186601.tif 000009
【図８】
2018186601.tif 000010
【図９】
2018186601.tif 000011